(57)【特許請求の範囲】
【請求項１】
形状フレーム要素（４）と、家具本体（２）に対して前記形状フレーム要素（４）を枢動可能に支持するヒンジ（５）とを備える装置であって、前記形状フレーム要素（４）は、パネル要素（３）を受け入れる働きをし、前記ヒンジ（５）の取付部（２３）は前記形状フレーム要素（４）に接続されており、
前記取付部（２３）はヒンジカップ（９）を有し、前記ヒンジカップ（９）は、前記形状フレーム要素（４）の凹所（１４）に一部分だけが受け入れられて、前記形状フレーム要素（４）から横方向に部分的に突き出ており、
前記ヒンジ（５）は、前記ヒンジカップ（９）を前記形状フレーム要素（４）の前記凹所（１４）内に押圧可能な張力手段（２４）を有し、前記張力手段（２４）は、前記ヒンジカップ（９）を少なくとも部分的に取り囲む少なくとも１つの張力帯（１６）を含むことを特徴とする装置。
【請求項２】
前記ヒンジカップ（９）は、前記ヒンジ（５）のヒンジ軸（１７）に対して横方向に延びる方向に、前記張力手段（２４）によって前記形状フレーム要素（４）の前記凹所（１４）内に押圧されることを特徴とする、請求項１に記載の装置。
【請求項３】
前記張力帯（１６）は、少なくとも１つのクランプ要素（２２）によって締められることを特徴とする、請求項１又は２に記載の装置。
【請求項４】
前記ヒンジカップ（９）は、少なくとも１つのねじ（１１）によって前記形状フレーム要素（４）に固定されるべく固定フランジ（１５）を有し、前記固定フランジ（１５）を固定する前記ねじ（１１）と、前記張力帯（１６）を締める前記クランプ要素（２２）とは、１つの同じ前記ねじ（１１）によって形成されることを特徴とする、請求項３に記載の装置。
【請求項５】
平面図における前記ヒンジカップ（９）は、少なくとも部分的に環状構造を有することを特徴とする、請求項１〜４のいずれか一項に記載の装置。
【請求項６】
前記ヒンジカップ（９）は、取付姿勢において前記パネル要素（３）の表面に対して離隔されるヒンジカップの底部（９ａ）を有することを特徴とする、請求項１〜５のいずれか一項に記載の装置。
【請求項７】
前記形状フレーム要素（４）は、パネル要素（３）の端部領域を受け入れる縦溝（１８）を有することを特徴とする、請求項１〜６のいずれか一項に記載の装置。
【請求項８】
前記ヒンジカップ（９）は、少なくとも１つのヒンジレバー（８）によってヒンジアーム（７）に接続され、前記ヒンジ（５）の閉鎖位置において、前記少なくとも１つのヒンジレバー（８）は前記ヒンジカップ（９）内に入れられることを特徴とする、請求項１〜７のいずれか一項に記載の装置。
【請求項９】
前記ヒンジカップ（９）は、前記形状フレーム要素（４）の上側（４ａ）に当接している少なくとも１つの固定フランジ（１５）を有することを特徴とする、請求項１〜８のいずれか一項に記載の装置。
【請求項１０】
前記ヒンジ（５）は、ヒンジ運動を制動する制動装置（２０）を有することを特徴とする、請求項１〜９のいずれか一項に記載の装置。
【請求項１１】
前記制動装置（２０）は、前記ヒンジカップ（９）に少なくとも部分的に外部から前記ヒンジカップ（９）の固定フランジ（１５）の真下の設置位置に取り付けられ、前記制動装置（２０）は、枢動可能に取り付けられた駆動要素（１９）によって作用されることを特徴とする、請求項１０に記載の装置。
【請求項１２】
前記駆動要素（１９）は、ヒンジカップ（９）内の水平軸を中心として枢動可能に取り付けられ、前記ヒンジ（５）の閉鎖運動において、前記ヒンジ（５）のヒンジレバー（８）によって作用されることを特徴とする、請求項１１に記載の装置。
【請求項１３】
前記ヒンジカップ（９）を少なくとも部分的に包囲するカバー（１２）が設けられ、前記カバー（１２）は解放可能に固定することができ、工具を使わずに取り付けることができ、且つ、工具を使わずに取り外すことができることを特徴とする、請求項１〜１２のいずれか一項に記載の装置。
【請求項１４】
前記パネル要素（３）は、ガラス枠の形態であることを特徴とする請求項１〜１３のいずれか一項に記載の装置。
【発明の詳細な説明】
【技術分野】
【０００１】
本発明は、形状フレーム要素（ｐｒｏｆｉｌｅ  ｆｒａｍｅ  ｅｌｅｍｅｎｔ）と、家具本体に対して形状フレーム要素を枢動可能に支持するヒンジとを備える装置に関し、形状フレーム要素は、パネル要素、特にガラス枠を受け入れる働きをし、ヒンジの取付部は形状フレーム要素に接続される。
【背景技術】
【０００２】
このような形状フレーム要素は、金属押出プロセスを用いて金属から、あるいは、押出を用いてプラスチックから作られることが多く、板状パネル要素、特にガラス枠を包囲するために使用され、したがって、形状フレーム要素によって取り囲まれるパネル要素は、ヒンジを介して固定された家具本体に対して枢動可能である。形状フレーム要素との接続において難しいのは、形状フレーム要素と対応するヒンジの取付部との接続を設計することである。形状フレーム要素の材料の利用可能な空間と厚さとが、取付作業を困難にするからである。したがって、形状フレーム要素のヒンジは、部分的に複雑で高価な特殊形状に設計される必要があり、このような特殊形態のヒンジは、製造においても購入の際にも費用の増加を招いている。
【０００３】
空洞形状要素に接続されるこのような特殊形態のヒンジカップの例は、独国特許第２０１１６７１６（Ｕ１）号明細書および欧州特許第０８９８０３４（Ａ２）号明細書に記載されている。
【先行技術文献】
【特許文献】
【０００４】
【特許文献１】独国特許第２０１１６７１６（Ｕ１）号明細書
【特許文献２】欧州特許第０８９８０３４（Ａ２）号明細書
【発明の概要】
【発明が解決しようとする課題】
【０００５】
本発明の目的は、形状フレーム要素に取り付ける生産の観点からは簡単であり、特にこの形状フレーム要素への信頼性の高い取り付けが行われるヒンジを提供することである。
【課題を解決するための手段】
【０００６】
これは、本発明に従って請求項１に列挙される特徴によって実現される。本発明のさらなる有利な構成が、付随する特許請求の範囲において列挙される。
【０００７】
したがって、本発明によると、取付要素はヒンジカップを含み、ヒンジカップは形状フレーム要素の凹所に一部分だけ受け入れられて、形状フレーム要素から横方向に部分的に突き出るものと規定される。
【０００８】
かくして、形状フレーム要素との併用においても、木質材料と関連して押し込み挿入カップとして既に使用されており、開き戸（ｍｏｖａｂｌｅ  ｄｏｏｒ  ｌｅａｆ）の対応する円形標準穴の中に埋めることができるヒンジカップを使用することが可能である。それゆえ、工場における既存の組立ラインを使用することが可能であり、これによって、形状フレーム要素に取り付けられる取付部の複雑で高価な特殊形状は、もはや必ずしも必要でない。
【０００９】
本発明によると、ヒンジカップは、少なくとも一部分が形状フレーム要素の凹所に受け入れられて、形状フレーム要素から横方向に部分的に突き出るものと規定される。それゆえ、もはやヒンジカップ全体を形状フレーム要素に埋める必要はなく、これによって、ヒンジカップを一部分だけ受け入れる非常に狭い形状フレーム要素を使用することも可能である。このような狭い形状フレーム要素は、比較的安価であり、大きい形状フレーム要素よりも魅力的に見える場合も多い。これに関連して、長手方向の広がりに対して横方向に測定された形状フレーム要素の幅は、ヒンジカップの半径よりも小さいか、この半径にほぼ等しいものと規定されうる。
【００１０】
本発明の実施形態によると、ヒンジカップを特に横方向に向かって形状フレーム要素に設けられた凹所の中に押圧しうる張力手段があるものと規定されうる。これに関連して、ヒンジカップをヒンジのヒンジ軸に対して横方向に延びる方向に、張力手段によって形状フレーム要素の凹所の中に押圧することができれば望ましいかもしれない。
【００１１】
本発明の可能な実施形態では、張力手段は、ヒンジカップを少なくとも領域ごと取り囲む少なくとも１つの張力帯を有するものと規定されうる。張力帯は、張力帯内に配置されるヒンジカップが形状フレーム要素の凹所の内側壁に対して半径方向に押圧されるように、少なくとも１つのクランプ要素によって締め付けられうる。
【発明の効果】
【００１２】
その場合、クランプ要素はバイトに適合する凹所を有することができ、バイトは、クランプ要素に設けられた凹所の中に導入することができ、これによってクランプ要素は回転することができる。あるいは、ヒンジカップが形状フレーム要素に適合されように、または形状フレーム要素の中で適合されるように、および／またはクランプ要素の駆動によって適切に形状フレーム要素から取り出せるように、クランプ要素の凹所の代わりにハンドルがあるものと規定されうる。かくして、ヒンジカップは、形状フレーム要素に対して、工具を使わずに取り付ける、および／または取り外すことができる。
【００１３】
可能な実施形態では、ヒンジカップは少なくとも１本のねじを介して形状フレーム要素に固定される必要のある固定フランジを有するものと規定することができ、固定フランジを固定するねじと張力帯を締め付けるクランプ要素とは、１本の同じねじによって形成される。
【００１４】
本発明のさらなる詳細および利点を、以下に具体的な記述によって説明する。
【図面の簡単な説明】
【００１５】
【図１ａ】形状フレーム要素を介して家具本体に対して枢動可能に取り付けられる、ガラス枠の形態のパネル要素を備える家具の斜視図を示す。
【図１ｂ】形状フレーム要素によって家具本体に対して枢動可能に取り付けられる、ガラス枠の形態のパネル要素を備える家具の拡大詳細図を示す。
【図２ａ】装置の分解図を示す。
【図２ｂ】形状フレーム要素の取付姿勢におけるヒンジアームの図を示す。
【図３ａ】取付姿勢における装置の斜視図を示す。
【図３ｂ】取付姿勢における装置の拡大詳細図を示す。
【図４ａ】ヒンジの平面図を示す。
【図４ｂ】ヒンジの断面図を示す。
【図５ａ】取付姿勢におけるヒンジの平面図を示す。
【図５ｂ】形状フレーム要素に固定されたヒンジカップの断面図を示す。
【発明を実施するための形態】
【００１６】
図１ａは、キャビネット構造の家具本体２を有する家具１の斜視図を示しており、ガラス枠の形態のパネル要素３は、形状フレーム要素４およびヒンジ５を介して家具本体２に対して枢動可能に支持されている。パネル要素３は、長手方向端部で形状フレーム要素４に受け入れられる。形状フレーム要素４は周囲に延びる構成のものであってもよいことも理解されよう。形状フレーム要素４は、好ましくは押出プロセスを用いて金属から作られる。また、形状フレーム要素４は、プラスチックから作ることも可能である。
【００１７】
図１ｂは、図１ａの円で囲んだ領域の拡大スケールの図である。ヒンジ５のヒンジアーム７をスナップ式係合で解放可能に取り付けることができる取付板６が、家具本体２に固定されている。ヒンジ５のドア側取付部２３は、形状フレーム要素４に接続され、少なくとも１つのヒンジレバー８を介して、本体２に固定されるヒンジアーム７に枢動可能に接続されるヒンジカップ９を有する。例示された図では、ヒンジカップ９は、形状フレーム要素４によってほぼ半分までが受け入れられるが、ヒンジカップの底部が板状パネル要素３の内面と実質的に平行に離隔されて延びるように、ヒンジカップ９の他の半分は形状フレーム要素４から横方向に突き出る。ヒンジカップ９は、ねじ１１を介して形状フレーム要素４に固締されうる。形状がヒンジカップ９の外部形状に少なくとも部分的に適合するカバー１２は、形状フレーム要素４によって受け入れられていない、ヒンジカップ９の弓状部分を取り囲む。また、カバー１２は、魅力的な外観を提供するように、ヒンジカップの底部と平坦な要素３の表面との間で整然と延在させることができ、さもなければ、ヒンジカップ９の下側が透明なパネル要素３を通して見えてしまう。
【００１８】
図２ａは装置の分解図を示す。やはり、ヒンジ５がそのヒンジアーム７とスナップ式係合で解放可能に取り付けられうる取付板６が、家具本体２に固定されている。ヒンジカップ９は、少なくとも１つのヒンジレバー８を介してヒンジアーム７に枢動可能に接続される。ヒンジカップ９は、弓状の外側輪郭１３を少なくとも部分的に有する。ヒンジカップ９は、形状フレーム要素４の凹所１４に埋めることができ、取付姿勢では、ヒンジカップ９の固定フランジ１５は、形状フレーム要素４の上側４ａに当たっている。ヒンジカップ９の締結は、固定フランジ１５に設けられた開口３０を通じ、形状フレーム要素４の穴３１を通じて、最終的に張力帯１６の固定位置１６ａに挿入されるねじ１１によって実現され、ねじ１１は固定位置１６ａで締められる。ヒンジカップ９を形状フレーム要素４の凹所１４の内壁に押し付けるために、例示された実施形態において少なくとも１つの弓状張力帯１６を含む張力手段２４が提供される。張力帯１６は、ヒンジカップ９の外側輪郭１３を取り囲み、この場合、張力帯１６は、ねじ１１を締めることによって固定されおよび／または張力を加えられうる。かくして、ヒンジカップ９は、形状フレーム要素４の凹所１４の中に横方向に、特にヒンジ５のヒンジ軸１７に対して横方向に延びる方向に押圧されうる。ある実施形態では、形状フレーム要素４の穴３１は、最初は張力帯１６の固定位置１６ａと正確に一致せず、その後、ねじ１１を締め込むことによってのみ互いに向きが一致するように規定することができ、それによって、張力帯１６を引き寄せることが可能である。形状フレーム要素４は、長手方向に延び、パネル要素３の側部を包囲するように提供されるＵ字形の溝１８を有する。最後に、張力帯１６が外部から見えないように、カバー１２が張力帯１６にスナップ装着されうる。
【００１９】
図２ｂは、形状フレーム要素４に取り付けられた状態のヒンジ５を示しており、ヒンジキャップ９は、形状フレーム要素４に設けられた図２ａに示す半円凹所１４に部分的に適合され、形状フレーム要素４から横方向に部分的に突き出ている。ヒンジ５の完全な閉鎖位置に達するまでの最後の閉鎖移動に対してヒンジ運動を制動しうる、制動装置２０を見ることが可能である。制動装置２０に作用するために、水平軸を中心としてヒンジカップ９内に枢動可能に取り付けられる駆動要素１９がある。閉鎖運動において、ヒンジレバー８は駆動要素１９に遭遇し、これによって、駆動要素１９は、制動装置２０を介して制動されうる回転運動を開始する。カバー１２は、張力帯１６を実質的に完全に包囲し、さらにヒンジカップの底部の下に係合し、装置に対する魅力的な視覚的側面を実現することが可能である。カバー１２は、たとえば、金属薄板の深絞り成形品の形態であってもよく、ニッケルめっきプラスチック成形品の形態であってもよい。
【００２０】
図３ａは、図２ｂの装置を示しているが、カバー１２が取り外され、好ましくはガラスからなるパネル要素３が形状フレーム要素４内の溝１８（図２ａ）に適合される点が図２ｂとは異なる。ヒンジカップ９を取り囲み、ヒンジカップ９が形状フレーム要素４の凹所１４の壁に対して横方向に押圧されうるようにねじ１１を締めることによって締められる張力帯１６を見ることが可能である。図３ｂは、図３ａの円で囲んだ領域を拡大スケールで示す。制動装置２０の制動機能は、制動ハブが配設された後に駆動要素１９が戻らないようにスイッチ２１を手動で作動させて駆動要素１９を押圧位置にロックすることによって停止されうる。スイッチ２１を初期位置に移動することによって、制動機能は再び駆動されうる。
【００２１】
図４ａは、ねじ１１を介して形状フレーム要素４に固定されうるヒンジ５の平面図を示す。図４ｂは、図４ａに示す平面Ａ−Ａに沿った垂直断面を示す。外側縁を有するパネル要素３は、形状フレーム要素４の溝１８に適合される。ヒンジカップ９の固定フランジ１５は、ねじ１１によって形状フレーム要素４に固定されうる。張力帯１６は、少なくとも１つのクランプ要素２２を介して締めることができ、例示された実施形態では、固定フランジ１５を固定するねじ１１と張力帯１６を締めるクランプ要素２２とは、１つの同じねじ１１によって形成される。本発明の可能な開発では、対応する傾斜面をねじ１１と張力帯１６の間に設けることができ、ねじ１１をねじ込むと、張力帯１６をさらに締めて、したがって、凹所１４の内壁に対してヒンジカップ９を押圧するさらなる押圧力を生成することが可能である。また。クランプ要素２２をねじ１１から完全に切り離せることは理解されよう。
【００２２】
図５ａは、ヒンジ５の平面図を示しており、ヒンジアーム７は家具本体２に固定され、パネル要素３は家具本体２に対して枢動可能に取り付けられる。図５ｂは、図５ａに示す平面Ｂ−Ｂに沿ったドア側領域の拡大スケールの垂直断面を示す。ヒンジカップ９は、カバー１２が係合するヒンジカップの底部９ａを有する。ヒンジカップの底部９ａおよび／またはカバー１２は、パネル要素３が開閉されるとき、ヒンジカップ９からの圧力がパネル要素３として形成されたガラス枠に加わらないように、パネル要素３の表面と離隔して配置されることが分かる。
【００２３】
また、ヒンジカップ９を取り囲んでカバー１２によって完全に覆うことができる張力帯１６がはっきり見える。カバー１２は、少なくとも部分的にヒンジカップ９および／またはヒンジカップの底部９ａを包囲しており、カバー１２は解放可能に固定することができ、好ましくは工具を使わずに取り付けて取り外すことができる。
【００２４】
本発明は、例示された実施形態に限定されるものではなく、以下の特許請求の範囲に含まれるすべての変形物および技術的等価物に及ぶ。たとえば、上方に（ｕｐ）、横方向に（ｌａｔｅｒａｌ）など、説明において採用された位置的な言及も、直接的に例示される図に関係しており、位置が変化すると新たな位置に適切に移動されるべきである。
【図１ａ】
0005829220.tif 000002
【図１ｂ】
0005829220.tif 000003
【図２ａ】
0005829220.tif 000004
【図２ｂ】
0005829220.tif 000005
【図３ａ】
0005829220.tif 000006
【図３ｂ】
0005829220.tif 000007
【図４ａ】
0005829220.tif 000008
【図４ｂ】
0005829220.tif 000009
【図５ａ】
0005829220.tif 000010
【図５ｂ】
0005829220.tif 000011